(57)【要約】【課題】複製禁止原稿の偽造物が世間に充分出回る前に素早く発見でき、どの機種で何をどのように複製したのかなどの証拠データが容易に確実に得られる画像処理装置および複製禁止原稿の複製停止方法を提供する。【解決手段】画像読取部１で得られた画像信号ｐが、特徴抽出手段４により複製禁止原稿であると特定したときに、履歴作成手段５で、複製された偽造物に対して、どの機種で何をどのように複製したのかなどの証拠データとなる履歴情報ｔを作成し、その履歴情報ｔを記憶手段７に格納して確実に残す。【選択図】図１
2004007814.tif 000002
【特許請求の範囲】
【請求項１】
　画像信号から複製禁止原稿を特定する特定手段と、
前記特定手段により前記画像信号が複製禁止原稿であると特定されたときに、履歴情報を格納する格納手段と、
前記格納手段に格納された履歴情報から、複製が禁止されている原稿との相関値を示す履歴情報を調べ、前記履歴情報の前記相関値の累積値を算出し、前記累積値が一定値以上のときに、複製機能を停止させる複製停止手段と、
を備えることを特徴とする画像処理装置。
【請求項２】
　画像信号から複製禁止原稿を特定する特定手段と、
前記特定手段により前記画像信号が複製禁止原稿であると特定されたときに、履歴情報を格納する格納手段と、
前記格納手段に格納された履歴情報から、禁止原稿の信憑性が増したと判断されたときに、複製機能を停止させる複製停止手段と、
を備えることを特徴とする画像処理装置。
【請求項３】
　複製停止手段は、複製が禁止されている原稿との相関値を示す履歴情報を調べ、履歴情報の相関値の累積値を算出し、前記累積値が一定値以上のときに、複製禁止原稿の信憑性が増したと判断し、複製機能を停止させることを特徴とする請求項２の画像処理装置。
【請求項４】
　画像信号から複製禁止原稿を特定する特定手段と、
前記特定手段により前記画像信号が複製禁止原稿であると特定されたときに、履歴情報を格納する格納手段と、
前記格納手段に格納された履歴情報から、複製が禁止されている原稿との相関値を示す履歴情報を調べ、前記履歴情報の前記相関値が所定値以上のときに、複製機能を停止させる複製停止手段と、
を備えることを特徴とする画像処理装置。
【請求項５】
　画像信号から複製禁止原稿を特定する特定手段と、
前記特定手段により前記画像信号が複製禁止原稿であると特定されたときに、履歴情報を格納する格納手段と、
前記格納手段に格納された履歴情報から、明らかに禁止されている原稿であると判断されたときに、複製機能を停止させる複製停止手段と、
を備えることを特徴とする画像処理装置。
【請求項６】
　複製停止手段は、複製が禁止されている原稿との相関値を示す履歴情報を調べ、前記履歴情報の前記相関値が所定値以上のときに、明らかに禁止されている原稿が複製されたと判断し、複製機能を停止させることを特徴とする請求項５の画像処理装置。
【請求項７】
　画像信号から複製禁止原稿を特定する特定手段と、
前記特定手段により前記画像信号が複製禁止原稿であると特定されたときに、前記画像信号に関する履歴情報から、複製が禁止されている原稿との相関値を示す履歴情報を調べ、前記履歴情報の前記相関値の累積値を算出し、前記累積値が一定値以上のときに、複製機能を停止させる複製停止手段と、
を備えることを特徴とする画像処理装置。
【請求項８】
　画像信号から複製禁止原稿を特定する特定手段と、
前記特定手段により前記画像信号が複製禁止原稿であると特定されたときに、前記画像信号に関する履歴情報から、複製が禁止されている原稿との相関値を示す履歴情報を調べ、前記履歴情報の前記相関値が所定値以上のときに、複製機能を停止させる複製停止手段と、
を備えることを特徴とする画像処理装置。
【請求項９】
　画像信号から複製禁止原稿を特定し複製機能を停止させる複製停止方法であって、
画像信号から複製禁止原稿を特定する特定工程と、
前記特定工程により、前記画像信号が複製禁止原稿であると特定されたときに、履歴情報を格納手段に格納する格納工程と、
前記格納工程により、前記格納手段に格納された履歴情報から、複製が禁止されている原稿との相関値を示す履歴情報を調べ、履歴情報の相関値の累積値を算出し、前記累積値が一定値以上のときに、複製機能を停止させる複製停止工程と、を備えることを特徴とする複製禁止原稿の複製停止方法。
【請求項１０】
　画像信号から複製禁止原稿を特定し複製機能を停止させる複製停止方法であって、
画像信号から複製禁止原稿を特定する特定工程と、
前記特定工程により、前記画像信号が複製禁止原稿であると特定されたときに、履歴情報を格納手段に格納する格納工程と、
前記格納工程により、前記格納手段に格納された履歴情報から、複製が禁止されている原稿との相関値を示す履歴情報を調べ、前記履歴情報の前記相関値が所定値以上のときに、複製機能を停止させる複製停止工程と、を備えることを特徴とする複製禁止原稿の複製停止方法。
【発明の詳細な説明】
【技術分野】
【０００１】
　本発明は、紙幣や有価証券または各種金券など複製が禁止された紙葉類の偽造防止機能を備えた複写機などの画像処理装置に関する。
【背景技術】
【０００２】
　従来から広く使用されている画像処理装置の１つである複写機などのハードコピーは、原稿に忠実な画像を形成することを目的として技術開発が進められてきた結果、近年では一見してオリジナル画像と区別がつかない再生画像を形成できるカラー複写機も市販されている。
【０００３】
　のようなオリジナル画像に極めて近い再生画像が得られると、紙幣や有価証券などの偽造に悪用される恐れがある。従来、このような偽造を防止するため、入力画像信号が、複写が禁止されている紙幣や証券類の画像信号であるかどうかを特徴抽出により判別し、複写が禁止された画像信号であると判定した場合には、出力画像を停止したり縮小処理や鏡像反転などの変換処理を行ってから画像を再生したりする複写防止機能を起動することにより、複写物が容易に偽造物と判る処理をして偽造を防止する方法（例えば、特許文献１を参照）が取られていた。
【特許文献１】特開平１−３１６７８３号公報
【発明の開示】
【発明が解決しようとする課題】
【０００４】
　しかしながら上記のような画像処理装置の１つとして説明した従来の複写機では、紙幣や有価証券など複製禁止原稿の複写物が世間に充分出回って初めて複製禁止原稿の偽造物が発見でき、世間に充分出回る前に偽造物として素早く発見することができない。また、複製禁止原稿の偽造物が発見されたとしても、どの複写機で何をどのように複製したかなど、その証拠データを確実に得ることは困難なものであるという問題を有していた。
【０００５】
　本発明は、上記従来の問題を解決するもので、複製禁止原稿の偽造物が世間に充分出回る前に素早く発見することができるとともに、複製された偽造物に対して、どの機種で何をどのように複製したのかなどの証拠データを容易に確実に得ることができる画像処理装置および複製禁止原稿の複製停止方法を提供する。
【課題を解決するための手段】
【０００６】
　上記の課題を解決するために本発明の画像処理装置は、画像信号から複製禁止原稿を特定する特定手段と、前記特定手段により前記画像信号が複製禁止原稿であると特定されたときに、履歴情報を格納する格納手段と、前記格納手段に格納された履歴情報から、複製が禁止されている原稿との相関値を示す履歴情報を調べ、前記履歴情報の前記相関値の累積値を算出し、前記累積値が一定値以上のときに、複製機能を停止させる複製停止手段とを備えることを特徴とする。
【０００７】
　以上により、複製禁止原稿であると特定したときに、複製された偽造物に対して、どの機種で何をどのように複製したのかなどの証拠データを確実に残すとともに、複製禁止原稿であると特定したときに、さらに証拠データを確認した後に、誤動作か否かを正確に判断してから複製禁止原稿の複製防止機能を動作させることができる。
【発明の効果】
【０００８】
　以上のように本発明によれば、複製禁止原稿であると特定したときに、複製された偽造物に対して、どの機種で何をどのように複製したのかなどの証拠データを確実に残すことができる。
【０００９】
　そのため、複製された偽造物に対して、どの機種で何をどのように複製したのかなどの証拠データを容易に確実に得ることができるとともに、複製禁止原稿の偽造物が世間に充分出回る前に素早く発見することができる。これにより複製禁止原稿の安易な偽造も抑制することができる。
【００１０】
　また、複製禁止原稿であると特定したときに、さらに証拠データを確認した後に、誤動作か否かを正確に判断してから複製禁止原稿の複製防止機能を動作させることができる。
　そのため、複製禁止原稿に対する誤動作の頻度を低くすることができ、複製禁止原稿かどうかの判定をより確実にし、複製禁止原稿に対する複製防止機能を正確に動作させることができ、複製禁止原稿の複写を確実に防止することができる。
【発明を実施するための最良の形態】
【００１１】
　本発明の他の態様の画像処理装置は、画像信号から複製禁止原稿を特定し複製機能を停止させる複製防止手段と、複製禁止原稿を特定した時に証拠データを記憶手段に格納する格納手段と、正常な複製機能を停止させた複製防止機能を解除する解除手段とを備えた画像処理装置において、前記証拠データの確定後に複製防止手段の解除を受け付ける構成とする。
【００１２】
　この構成によると、証拠データを確認後に、解除機能を有効にすることで、誤動作か否かを正確に判断してから防止機能を解除できるので、偽造防止行為を抑えられる。
　更に他の態様の画像処理装置は、画像信号から複製禁止原稿を特定し複製機能を停止させる複製防止手段と、正常な複製機能を停止させた複製防止機能を解除する解除手段と、外部からの操作信号を通信回線から受信し、解除手段の解除機能を有効または無効に制御可能な通信手段とを備えた画像処理装置において、外部から解除制御信号を送ることで複製防止手段の複製防止機能を解除する構成とする。
【００１３】
　この構成によると、外部回線から操作信号を受信して解除手段の解除機能を有効または無効に制御可能な通信手段を備えるので、外部回線から操作信号を受信して解除手段の解除機能を通信手段を介して有効または無効に制御することができ、メンテナンスなどが容易にできないような遠隔地などに対しても、一々出向くようなことは必要なくなり、解除動作が機器を管理しているメーカーから容易になされる。これにより、機器の管理コストを抑制できる。
【００１４】
　更に他の態様の画像処理装置は、画像信号から複製禁止原稿を特定したときに複製機能を停止させる複製防止手段を備えた画像処理装置において、正常な複製機能を停止させた複製防止手段の複製防止機能を解除する解除手段を備えた構成とする。
【００１５】
　この構成によると、正常な複製機能を停止させた複製防止手段の複製防止機能を解除することができる。
　更に他の態様の画像処理装置は、解除手段は、複製防止手段の複製防止機能を解除するときに、記憶手段を初期化する構成とする。
【００１６】
　この構成によると、複製防止手段の複製防止機能が解除されたときに、記憶手段が初期化される。
　以下、本発明の一実施の形態を示す画像処理装置および複製禁止原稿の複製停止方法について、複写装置を例に挙げて、図面を参照しながら具体的に説明する。
【００１７】
　図１は本発明の一実施の形態における画像処理装置としての複写装置の構成を示すブロック図である。図１において、画像読取部１は原稿の画像を読み取り電気的なカラーの画像信号ｐを出力する。この画像読取部１が接続される画像処理部２は画像出力部３に接続され、画像読取部１からの画像信号ｐを信号処理して、画像出力部３に必要な画像形成信号ｑとして出力し、画像出力部３で記録用紙上にカラー画像を形成する。
【００１８】
　また、画像読取部１が接続される特徴抽出手段４は履歴作成手段５に接続され、特徴抽出手段４は画像読取部１からの画像信号ｐの特定の特徴を抽出し、履歴作成手段５に特徴データ信号ｓを出力する。これら特徴抽出手段４、操作パネル６および画像読取部１が接続される履歴作成手段５は記憶手段７に接続され、複写原稿の特徴相関値データの特徴データ信号ｓと、操作パネル６からのＩＤ、日時、複写枚数と、画像読取部１からの画像データｐとにより構成される記述ファイルｔを作成し、記憶手段７に履歴情報として記述ファイルｔを格納する。なお、この特徴相関値データの特徴データ信号ｓが小さい場合には画像データｐを削除してもよい。
【００１９】
　図２は図１の複写装置における特徴抽出手段４の内部構成を示すブロック図である。図２において、色分布係数発生回路８は画像判別回路９に接続され、入力される画像読取部１からのＲデータ、Ｇデータ、Ｂデータにより、図３に示す各信号Ｒ，Ｇ，Ｂのヒストグラムを生成する。この生成されたヒストグラムは、最小自乗法に基づいて各信号Ｒ，Ｇ，Ｂの近似式（数１）が得られ、近似式（数１）より色分布係数ａ〜ｏが求まる。
【００２０】
【数１】
2004007814.tif 000003
　この色分布係数ａ〜ｏは係数信号ｕとして色分布係数発生回路８から画像判別回路９に出力される。また、パターン検出回路１０は画像判別回路９に接続され、入力される画像読取部１からのＲデータ、Ｇデータ、Ｂデータにより、原稿の特徴パターンの検出を行ってパターン信号ｖをパターン検出回路１０から画像判別回路９に出力する。これら色分布係数発生回路８およびパターン検出回路１０が接続される画像判別回路９は画像特徴パターンデータ１１および画像色分布係数データ１２に接続され、パターン信号ｖとパターンデータ信号ｗ、および係数信号ｕと係数データ信号ｘとの相関度合を計算し、その相関値を特徴データ信号ｓとして履歴作成手段５に出力する。
【００２１】
　この画像色分布係数データは４次式で近似される関数の特徴係数Ａ〜Ｏによって構成され、ここでの相関値は各係数毎の最小２乗和を正規化した値とする。これら特徴係数Ａ〜Ｏはそれぞれ色分布係数ａ〜ｏに対応している。画像パターンの相関は、たとえば、色分布係数と同様に複数の角度から見た画像パターンの濃度分布を特徴関数に置き換えた係数毎の比較によって行い、その相関値は各係数毎の最小２乗和を正規化した値とする。２つの正規化された値は設定した混合比によって合成され、最終の相関値となる。なお、画像パターンの特徴抽出はテンプレートマッチング法を用いてもよい。
【００２２】
　上記構成により、以下、その動作を説明する。まず、画像読取部１は複写する原稿を読み取り、カラーの画像信号ｐとしてＲデータ、Ｇデータ、Ｂデータを画像処理部２に出力する。この画像処理部２は、カラーの画像信号ｐを入力とし、画像出力部３に必要な画像形成信号ｑとしてＹデータ、Ｍデータ、Ｃデータ、Ｋデータを生成画像出力部３に出力する。この画像出力部３は、入力した画像形成信号ｑにより記録用紙上にカラー画像を形成する。
【００２３】
　また、画像読取部１からの画像信号ｐの画像パターンにより原稿の特定の特徴を特徴抽出手段４で抽出し、特徴データ信号ｓを履歴作成手段５に出力する。ここで、特徴抽出手段４の動作について説明すると、図２に示すように、色分布係数発生回路８は、入力される画像読取部１からのＲデータ、Ｇデータ、Ｂデータにより、図３に示す各信号Ｒ，Ｇ，Ｂのヒストグラムを生成する。この生成されたヒストグラムは、最小自乗法に基づいて上記の各信号Ｒ，Ｇ，Ｂの近似式（数１）が得られ、色分布係数ａ〜ｏが求まる。この色分布係数ａ〜ｏは係数信号ｕとして画像判別回路９に出力される。また、パターン検出回路１０は、入力される画像読取部１からのＲデータ、Ｇデータ、Ｂデータにより、原稿の特徴パターンの検出を行ってパターン信号ｖを画像判別回路９に出力する。画像判別回路９は、パターン信号ｖとパターンデータ信号ｗ、および係数信号ｕと係数データ信号ｘとの相関度合を計算し、その相関値を特徴データ信号ｓとして特徴抽出手段４から履歴作成手段５に出力する。
【００２４】
　この履歴作成手段５は、複写原稿に対する特徴相関値データの特徴データ信号ｓと、操作パネル６からのＩＤ、日時、複写枚数と、画像読取部１からの画像データｐとにより構成される記述ファイルｔを作成し、記憶手段７に証拠データとしての履歴情報として記述ファイルｔを格納する。なお、特徴相関値データの特徴データ信号ｓが小さい場合には画像データｐを削除してもよい。
【００２５】
　したがって、画像読取部１からの画像信号ｐの特定の特徴を特徴抽出手段４で抽出し、特徴抽出手段４の出力および画像読取部１の出力から履歴作成手段５で作成した原稿の履歴情報を記憶手段７に格納するので、紙幣や有価証券など複製が禁止されている原稿など特定の特徴抽出を特徴抽出手段４で行えば、複製禁止原稿など特定の原稿がどの機種で誰が何をどのように複製したのかなどの証拠データが記憶手段７に確実に残り、メンテナンス時などに記憶手段７の履歴情報を定期的にチェックすれば、複製禁止原稿の偽造物が世間に充分出回る前に、どの機械で誰がどのように複製したかなどの証拠データが明確になる。また、これにより複製禁止原稿の安易な偽造も抑制される。
【００２６】
　図４は本発明の他の実施の形態における画像処理装置としての複写装置の構成を示すブロック図である。図４において、画像読取部２１は原稿の画像を読み取り電気的なカラーの画像信号Ｐを出力する。この画像読取部２１が接続される画像処理部２２は画像出力部２３に接続され、画像読取部２１からの画像信号Ｐを処理して、画像出力部２３に必要な画像形成信号Ｑとして出力し、画像出力部２３で記録用紙上にカラー画像を形成する。以上の画像読取部２１、画像処理部２２および画像出力部２３により画像形成手段２４が構成される。
【００２７】
　また、この画像処理手段２２は履歴作成手段２５に接続され、画像処理手段２２から履歴作成手段２５に縮小画像信号Ｅが出力される。また、画像読取部２１が接続される特徴抽出手段２６は図１の特徴抽出手段４と同様に構成され、画像読取部２１からの画像信号Ｐの特定の特徴を抽出し、特徴データ信号Ｓを履歴作成手段２５に出力する。画像処理部２２および特徴抽出手段２６が接続される履歴作成手段２５は記憶手段２７に接続されるとともに、バス２８を介して操作パネル２９に接続され、縮小画像信号Ｅと、特徴相関値データの特徴データ信号Ｓと、操作パネル２９からのＩＤ、日時、複写枚数とにより記述ファイルＴを作成して記憶手段２７に証拠データとしての履歴情報を格納する。
【００２８】
　ここで、図５に記述ファイルＴの一例のファイル構成図を示す。図５に示すように、第１のブロックは記述ファイルＴのヘッダであり、記述ファイルＴで使用される各ブロックのサイズ情報、ブロックの有効、無効などを記載する。無効ブロックには記載される情報は無くなるがブロックサイズは存在する。また、第２のブロックは履歴番号、第３のブロックは使用した人のＩＤ、第５のブロックは複写枚数、第６のブロックは複写日時であり、これらを操作パネル２９によりバス２８を経由して入力する。さらに、第４のブロックには、予め登録した特定画像特徴と複写原稿の特徴との相関値で特徴データ信号Ｓが入力され、また、第７のブロックには、画像処理部２２からの複写原稿の縮小画像信号Ｅが入力される。なお、相関値信号である特徴データ信号Ｓが小さい場合には、第７のブロックの縮小画像データＥを削除してもよい。
【００２９】
　さらに、複写防止手段３０はバス２８を介して記憶手段２７および制御部３１に接続され、この制御部３１はバス２８を介して画像形成手段２４に接続され、記憶手段２７に格納された履歴情報から複写禁止されている原稿の特徴との相関値の累積を算出し、この累積値が一定値以上になるかまたは相関値が所定値以上のときに、制御部３１を介して画像形成手段２４の正常な複写機能を停止させる。さらに、この制御部３１はバス２８を介して通信手段３２および記憶手段２７に接続され、複写防止手段３０が動作した時点で外部回線へ通信手段３２を経由して複写防止機能の動作状態を発信するとともに、記憶手段２７に格納した履歴情報を送信する。
【００３０】
　さらに、解除手段３３は複写防止手段３０に接続され、解除手段３３からの解除信号Ｙにより複写防止手段３０を解除する。複写防止手段３０が接続される制御部３１は画像形成手段２４および記憶手段２８に接続され、解除された複写防止手段３０は制御部３１に停止解除信号を出力し、制御部３１は画像形成手段２４の停止状態を解除するとともに、記憶手段２７を初期化する。また、通信手段３２はバス２８を介して解除手段３３に接続され、外部回線から操作信号を受信して解除手段３３を有効または無効にする。制御部３１は、ＣＰＵ、プログラム格納用のＲＯＭ、作業用レジスタのＲＡＭなどにより構成されており、操作パネル２９からの操作、および複写防止手段３０、通信手段３２および解除手段３３によって、制御部３１はそれに対応する制御動作を行う構成である。
【００３１】
　さらには、外部記憶手段としての第２の記憶手段３４はメーカー側のフロッピー（登録商標）またはＩＣカードなどで構成され、この第２の記憶手段３４は操作パネル２９の操作により第１の記憶手段２７の内容を再保存可能であり、この再保存により複写防止手段３０は解除手段３３を介して解除される構成である。
【００３２】
　上記構成により、以下、その動作を説明する。まず、複写する原稿を画像読取部２１で読み取り、カラーの画像信号ＰとしてＲデータ、Ｇデータ、Ｂデータを画像処理部２２に出力する。画像処理部２２は、このカラーの画像信号Ｐを入力とし、画像出力部２３に必要な画像形成信号ＱとしてＹデータ、Ｍデータ、Ｃデータ、Ｋデータを生成し、これらＹデータ、Ｍデータ、Ｃデータ、Ｋデータを画像出力部２３に出力する。この画像出力部２３では、入力した画像形成信号Ｑにより記録用紙上にカラー画像を形成する。
【００３３】
　また、この画像処理手段２２から履歴作成手段２５に縮小画像信号Ｅを出力する。ここで、画像処理手段２２から出力される縮小画像信号Ｅについて説明する。画像処理手段２２において、画像信号Ｐから単色画像Ｍｏｎｏの生成、画像の拡大・縮小、画像の２値化処理を行う。この単色画像Ｍｏｎｏは、Ｍｏｎｏ＝（Ｒ＋２Ｇ＋Ｂ）／４により生成し、生成された単色画像Ｍｏｎｏを予め設定したしきい値で２値化処理する。たとえば、単色信号は、０からＦＦ（ＨＥＸ）の８ビットデータであり、しきい値を７Ｆ（ＨＥＸ）とすれば、データが７Ｆ（ＨＥＸ）よりも大であれば「１」となり、また、データが７Ｆ（ＨＥＸ）以下であれば「０」となる。この結果、単色画像データＭｏｎｏは、「０」、「１」のデータで表現される２値画像となる。この２値化処理された２値画像の画像の拡大・縮小は、たとえば、ｎ分割法、論理和法、最近傍法、投影法、距離反比例法などを用いて行う。この画像処理手段２２で縮小された画像信号Ｅとして履歴作成手段２５に出力される。
【００３４】
　さらに、画像読取部２１からの画像信号Ｐの画像パターンにより特徴抽出手段２６は原稿の特定の特徴を抽出して特徴データ信号Ｓを履歴作成手段２５に出力する。そして、この履歴作成手段２５は、複写した原稿の特徴抽出手段２６からの特徴相関値データの特徴データ信号Ｓと、画像処理部２２からの縮小画像信号Ｅと、操作パネル２９からのＩＤ、日時、複写枚数とにより構成される記述ファイルＴを作成し、この記述ファイルＴを記憶手段２７に履歴情報として格納する。
【００３５】
　さらに、複写防止手段３０は記憶手段２８に格納された複数の記述ファイルデータの履歴情報から、複写が禁止されている原稿との特徴相関値を示す第４のブロックの履歴を調べ、履歴情報の相関値の累積値を算出する。この累積値が一定値以上になるかまたは相関値が所定値以上のとき、すなわち、複写防止手段３０で算出した累積値が予め設定した値よりも大きくなって複写禁止原稿の信憑性が増したときとき、または、明らかに禁止されている原稿が複写されたと判断されたときに、制御部３１に対して複写機能停止信号をバス２８を経由して出力し、制御部３１は画像形成手段２４の正常な複写機能を停止させる。
【００３６】
　これによって、特徴抽出手段２６から直接に出力画像を停止する複写防止機能を起動する従来の方法に比較して、複製禁止原稿に対する誤動作の頻度を低くすることができ、複製禁止原稿かどうかの判定がより確実になり、複製禁止原稿が多数複写されるようなことは確実に防止される。この正常な複写機能の停止とは、この場合、画像読取部２１や画像出力部２３の動作を停止させることで実現しているが、画像処理部２２によって色を変化させたり、色を無くしたり、画像の拡大・縮小を行うなど複写物が一見して偽造と判るような処理を行ってもよい。
【００３７】
　また、この制御部３１は、通信手段３２に複写防止手段３０が動作したことを通知する動作信号を発生し、さらに、記述ファイルデータを記憶手段２７から読み出して通信手段３２に送る。これを通信手段３２は外部回線を経由してメーカーなどに送信する。一方、メーカーは複写機からの情報通報によって遠隔地などから複写機の状態、読み取られた原稿、その複写状況などを即座に調べることができ、偽造紙幣の流通を速く察知することができるとともに、機種特定を素早く行うことができる。したがって、メーカー側で履歴情報の管理が容易に素早くなされる。
【００３８】
　さらに、解除手段３３から複写防止手段３０に出力される解除信号Ｙにより複写防止手段３０の複写防止動作を解除でき、解除された複写防止手段３０は制御部３１に複写機能の停止状態を解除する停止解除信号を発生する。この停止解除信号によって制御部３１は画像形成手段２４の停止状態を解除するとともに、記憶手段２７に格納されている記述ファイルＴをバス２８を経由して初期化する。これにより、複写装置が再び複写動作可能となり、また、記憶手段２７の必要記憶容量もより小さく設定できる。また、通信手段３２はメーカーなどが発信した操作信号を外部回線によって受信し、解除手段３３に解除機能を有効にするかまたは無効にするかの解除制御信号を送る。メーカー側は記述ファイルＴの縮小画像データから明らかに禁止されている原稿が複写されたと判断した場合は、解除手段３３を無効にし、複写防止手段３０を解除できないようにする。禁止されていない原稿の場合は有効にし、メーカー側からの操作信号によって複写防止手段３０を解除することができる。これにより、遠隔地から即座に複写機に対する対応が可能になる。
【００３９】
　また、操作パネル２９からの操作によって制御部３１がメーカー側の例えば、特定の暗号キーを持つフロッピー（登録商標）、特定暗号キーを持つＩＣカードなどを識別し、これら特定フロッピー（登録商標）または特定ＩＣカードまたは情報記憶可能な媒体などの第２の記憶手段３４に記憶手段２７の記述ファイルＴを再保存することによっても解除手段３３を有効にすることができる。このように、複写防止手段３０は、記憶手段２７に格納された記述ファイルＴをメーカー側に送信するか、または、メーカー側の特定フロッピー（登録商標）、特定ＩＣカードなどの第２の記憶手段３４に再保存しない限り解除することができない。
【産業上の利用可能性】
【００４０】
　本発明の画像処理装置は、偽造防止機能を備えており、紙幣や有価証券または各種金券など複製が禁止された紙葉類の偽造防止機能を備えた複写機などに適用できる。
【図面の簡単な説明】
【００４１】
【図１】本発明の一実施の形態における画像処理装置としての複写装置の構成を示すブロック図
【図２】図１の複写装置における特徴抽出手段４の内部構成を示すブロック図
【図３】図１の複写装置における画像読取部１からの各信号Ｒ、Ｇ、Ｂのヒストグラム
【図４】本発明の他の実施の形態における画像処理装置としての複写装置の構成を示すブロック図
【図５】図４の複写装置における記憶手段２７に格納された記述ファイルＴの一例を示すファイル構成図
【符号の説明】
【００４２】
　１、２１　　画像読取部
　２、２２　　画像処理部
　４、２６　　特徴抽出手段
　５、２５　　履歴作成手段
　７、２７　　記憶手段
　８　　色分布係数発生回路
　９　　画像判別回路
　１０　　パターン検出回路
　１１　　画像特徴パターンデータ
　１２　　画像色分布係数データ
　２４　　画像形成手段
　３０　　複写防止手段
　３１　　制御部
　３２　　通信手段
　３３　　解除手段
　３４　　第２の記憶手段
【図１】
2004007814.tif 000004
【図２】
2004007814.tif 000005
【図３】
2004007814.tif 000006
【図４】
2004007814.tif 000007
【図５】
2004007814.tif 000008